(57)【要約】【課題】木製やプラスチック製のパレットと同程度の耐荷重強度、耐久性を備え、且つ低コストで容易に作製可能で、廃棄処理も容易な紙製パレット用桁部材を提供する。【解決手段】外面板３，３’を下面板１の左右側縁に立ち上げ、上面板５，５’を下面板と平行になるよう折り曲げ、内面板７，７’を外面板と平行になるよう折り曲げると共に、外面板３，３’と内面板７，７’の間に、各折畳み板９，９’、１１，１１’、１３，１３’を折り重ね状態で収容して、下面板１上に角柱状の左右の脚部４０，４０’を組み立てた後、左右の係合孔４１，４１’と隙間４２に係止部材５０を差し込んでその組み手手状態を維持する。【選択図】  図１
2006016030.tif 000002
【特許請求の範囲】
【請求項１】
段ボール等の板紙からなるデッキボード（ｂ）の下面に取り付けられて紙製パレットを構成する桁部材（ａ）であって、
矩形状の下面板（１）と、その左右側縁に折線（２，２’）を介して連設された外面板（３，３’）と、それら外面板の外縁に折線（４，４’）を介して連設された上面板（５，５’）と、それら上面板の外縁に折線（６，６’）を介して連設された内面板（７，７’）と、それら内面板の外縁に折線（８，８’）を介して連設された第一の折畳み板（９，９’）と、該折畳み板の外側に折線（１０，１０’、１２，１２’）を介して順次連設された所要数の折畳み板（１１，１１’、１３，１３’）を備えた一枚の板紙（１００）の要所の折り曲げにより組み立てると共に、その組み立て状態を係止手段で維持してなり、
前記外面板（３，３’）を折線（２，２’）に沿って下面板（１）の左右側縁に立ち上げ、上面板（５，５’）を折線（４，４’）に沿って下面板と平行になるよう折り曲げ、内面板（７，７’）を折線（６，６’）に沿って外面板と平行になるよう折り曲げると共に、外面板（３，３’）と内面板（７，７’）の間に、前記各折畳み板（９，９’、１１，１１’、１３，１３’）を折線（８，８’、１０，１０’、１２，１２’）で折り曲げた折り重ね状態で収容して、前記下面板（１）上に角柱状の左右の脚部（４０，４０’）を形成したことを特徴とする紙製パレット用桁部材。
【請求項２】
前記係止手段が、前記左右の脚部（４０，４０’）の上面側に設けた左右一対の複数の係合孔（４１，４１’）及び前記左右の脚部（４０，４０’）間の隙間（４２）と、
前記係合孔（４１，４１’）に挿脱自在に差し込まれる左右の差込片（５１，５１’）及び前記隙間（４２）に挿脱自在に差し込まれる中央差込片（５２）を備えた複数の係止部材（５０）からなることを特徴とする請求項１記載の紙製パレット用桁部材。
【請求項３】
段ボール等の板紙からなるデッキボード（ｂ）の下面に取り付けられて紙製パレットを構成する桁部材（ａ’）であって、
矩形状の下面板（１）と、その左右側縁に折線（２，２’）を介して連設された外面板（３，３’）と、一方の外面板（３）の外縁に折線（４）を介して連設された上面板（５）と、該上面板の外縁に折線（６）を介して連設された内面板（７）と、該内面板の外縁に折線（８）を介して連設された第一の折畳み板（９）と、該折畳み板の外側に折線（１０、１２、１４、１６、１８、２０、２２、２４、２６）を介して順次連設された所要数の折畳み板（１１、１３、１５、１７、１９、２１、２３、２５、２７）を備えた一枚の板紙（１００’）の要所の折り曲げにより組み立てると共に、その組み立て状態を係止手段で維持してなり、
前記外面板（３，３’）を折線（２，２’）に沿って下面板（１）の左右側縁に立ち上げ、上面板（５）を折線（４）に沿って下面板と平行になるよう折り曲げ、内面板（７）を折線（６）に沿って外面板と平行になるよう折り曲げると共に、外面板（３）と内面板（７）の間に、前記各折畳み板（９、１１、１３、１５、１７、１９、２１、２３、２５、２７）を折線（８、１０、１２、１４、１６、１８、２０、２２、２４、２６）で折り曲げた折り重ね状態で収容して、前記下面板（１）上に角柱状の脚部（４０”）を形成したことを特徴とする紙製パレット用桁部材。
【請求項４】
前記係止手段が、前記他方の外面板（３’）を前記上面板（５）又は前記内面板（７）に貼り付ける貼り着け手段であることを特徴とする請求項３記載の紙製パレット用桁部材。
【請求項５】
請求項１〜４の何れか記載の桁部材を、段ボール等の板紙からなるデッキボード（ｂ）の下面に所要数取り付けてなる紙製パレットであって、前記各桁部材がデッキボード（ｂ）の幅方向に対し略全長にわたる長さを備え、これら桁部材を並列状に配設して二方差しタイプに形成したことを特徴とする紙製パレット。
【請求項６】
請求項１〜４の何れか記載の桁部材を、段ボール等の板紙からなるデッキボード（ｂ）の下面に所要数取り付けてなる紙製パレットであって、前記各桁部材がデッキボード（ｂ）の幅方向に対し略全長にわたる長さを備えたものを適所で切断した短寸状に形成され、それら短寸状の桁部材を少なくともデッキボードの四隅部に配設して四方差しタイプに形成したことを特徴とする紙製パレット。
【請求項７】
前記デッキボードの下面に、金属薄板からなる所要数の補強桟を、所定の間隔をあけて前記桁部材と直交する方向に沿って取り付けてなる請求項５又は６記載の紙製パレット。
【発明の詳細な説明】
【技術分野】
【０００１】
本発明は、多層段ボール等の板紙により作製される紙製パレット及びその桁部材に関する。
【背景技術】
【０００２】
従来から、段ボール等の板紙からなるデッキボードの下面に、段ボール等の板紙からなる所要数の桁部材をフォーク受け入れ用の隙間をあけて並列状に貼り付けてなる二方差しタイプの紙製パレットや、短寸状の桁部材を少なくともデッキボードの四隅に貼り付けてなる四方差しタイプの紙製パレットが知られている。
この種紙製パレットは、軽量で安価に作製でき、しかも、廃棄の際の分解（解体）に手間がかからず、且つリサイクル性にも優れるため、木製又はプラスチック製のパレットに変わって普及してきている。
【０００３】
ところで、この種紙製パレットにおいては、デッキボード上に載せられた荷物の荷重に対する耐荷重強度が不足し、桁部材が押し潰されたり、或いは、荷積みや荷降ろしの際に挿し込まれたフォーク爪が支点となってデッキボードが折れ曲がってしまうなどの問題が未だに残されている。
【０００４】
このような問題を解消するには、デッキボードや桁部材を形成する板紙として、多層段ボールを複数枚貼り合せたものを用いたり、或いは特許文献１、２などに開示されるように、耐荷重強度に優れ、木製の板材と同等の撓み強度が得られる構造の桁部材を用いることが考えられる。
【０００５】
【特許文献１】実開平７−２８０２５号公報
【特許文献２】特開平７−１７２４３８号公報
【発明の開示】
【発明が解決しようとする課題】
【０００６】
しかし、多層段ボールを複数枚貼り合せた板紙を用いてデッキボードや桁部材を作製したり、前記特許文献に開示されたような複雑な構成の桁部材を用いる場合、作製や組み立てに手間が掛かると共に紙材の使用量が多くなるので、木製やプラスチック製のパレットよりも製造コストが高くなる虞れがある。
【０００７】
本発明はこの様な従来事情に鑑みてなされたもので、木製やプラスチック製のパレットと同程度の耐荷重強度、耐久性を備え、且つ低コストで簡単に組み立て可能な新規な紙製パレット用桁部材を提供することを課題とする。また本発明は前記課題に加え、廃棄処理も容易である紙製パレット用桁部材を提供することを目的とする。
【課題を解決するための手段】
【０００８】
以上の目的を達成するために、本発明に係る紙製パレット用桁部材は、
矩形状の下面板（１）と、その左右側縁に折線（２，２’）を介して連設された外面板（３，３’）と、それら外面板の外縁に折線（４，４’）を介して連設された上面板（５，５’）と、それら上面板の外縁に折線（６，６’）を介して連設された内面板（７，７’）と、それら内面板の外縁に折線（８，８’）を介して連設された第一の折畳み板（９，９’）と、該折畳み板の外側に折線（１０，１０’、１２，１２’）を介して順次連設された所要数の折畳み板（１１，１１’、１３，１３’）を備えた一枚の板紙（１００）の要所の折り曲げにより組み立てると共に、その組み立て状態を係止手段で維持してなり、
前記外面板（３，３’）を折線（２，２’）に沿って下面板（１）の左右側縁に立ち上げ、上面板（５，５’）を折線（４，４’）に沿って下面板と平行になるよう折り曲げ、内面板（７，７’）を折線（６，６’）に沿って外面板と平行になるよう折り曲げると共に、外面板（３，３’）と内面板（７，７’）の間に、前記各折畳み板（９，９’、１１，１１’、１３，１３’）を折線（８，８’、１０，１０’、１２，１２’）で折り曲げた折り重ね状態で収容して、前記下面板（１）上に角柱状の左右の脚部（４０，４０’）を形成したことを特徴とする（請求項１）。
【０００９】
このように構成した場合、矩形状の一枚の板紙（１００）を、その左右両側から中心に向けて各々直角方向に折り曲げていく簡単な作業で、中央に隙間（４２）を残して、角柱状の左右の脚部（４０，４０’）を有する耐荷重強度、耐久性に優れた桁部材（ａ）を容易に組み立てることができる。
【００１０】
前記係止手段として、前記左右の脚部（４０，４０’）の上面側に設けた左右一対の複数の係合孔（４１，４１’）及び前記左右の脚部（４０，４０’）間の隙間（４２）と、
前記係合孔（４１，４１’）に挿脱自在に差し込まれる左右の差込片（５１，５１’）及び前記隙間（４２）に挿脱自在に差し込まれる中央差込片（５２）を備えた複数の係止部材（５０）からなる係止手段をあげることができる（請求項２）。
【００１１】
この場合、各係止部材（５０）を左右の脚部（４０，４０’）の上面側に差し込むだけの簡単な作業で桁部材（ａ）の組み立て状態を維持できるので、前述の効果をより実効あるものとし得る。また、各係止部材（５０）を左右の脚部（４０，４０’）から引き抜くだけで桁部材（ａ）を分解することができるので、廃棄時の手間を軽減することができる。
【００１２】
また、本発明に係る紙製パレット用桁部材は、
矩形状の下面板（１）と、その左右側縁に折線（２，２’）を介して連設された外面板（３，３’）と、一方の外面板（３）の外縁に折線（４）を介して連設された上面板（５）と、該上面板の外縁に折線（６）を介して連設された内面板（７）と、該内面板の外縁に折線（８）を介して連設された第一の折畳み板（９）と、該折畳み板の外側に折線（１０、１２、１４、１６、１８、２０、２２、２４、２６）を介して順次連設された所要数の折畳み板（１１、１３、１５、１７、１９、２１、２３、２５、２７）を備えた一枚の板紙（１００’）の要所の折り曲げにより組み立てると共に、その組み立て状態を係止手段で維持してなり、
前記外面板（３，３’）を折線（２，２’）に沿って下面板（１）の左右側縁に立ち上げ、上面板（５）を折線（４）に沿って下面板と平行になるよう折り曲げ、内面板（７）を折線（６）に沿って外面板と平行になるよう折り曲げると共に、外面板（３）と内面板（７）の間に、前記各折畳み板（９、１１、１３、１５、１７、１９、２１、２３、２５）を折線（８、１０、１２、１４、１６、１８、２０、２２、２４、２６）で折り曲げた折り重ね状態で収容して、前記下面板（１）上に角柱状の脚部（４０”）を形成したことを特徴とする（請求項３）。
【００１３】
このように構成した場合、矩形状の一枚の板紙（１００）を直角方向に折り曲げていく簡単な作業で、中央に隙間の無い、角柱状の脚部（４０”）を有する耐荷重強度、耐久性により優れた桁部材（ａ’）を容易に組み立てることができる。
【００１４】
前記係止手段として、前記他方の外面板（３’）を前記上面板（５）又は前記内面板（７）に貼り着ける貼り着け手段をあげることができる（請求項４）。
【００１５】
この場合、外面板（３’）を上面板（５）に粘着テープ等で貼り着けたり、外面板（３’）を内面板（７）に接着剤で貼り着けるだけの簡単な作業で桁部材（ａ）の組み立て状態を維持できるので、前述の効果をより実効あるものとし得る。また、粘着テープ等を剥がしたり、外面板（３’）を内面板（７）から剥がすだけで桁部材（ａ）を分解することができるので、廃棄時の手間を軽減することができる。
【００１６】
本発明に係る紙製パレットは、前述の桁部材を、段ボール等の板紙からなるデッキボード（ｂ）の下面に所要数取り付けてなり、前記各桁部材がデッキボード（ｂ）の幅方向に対し略全長にわたる長さを備え、これら桁部材を並列状に配設して二方差しタイプに形成したことを特徴とする（請求項５）。
この場合、前記桁部材による効果を奏する二方差しタイプの紙製パレットを容易に得ることができる。
【００１７】
また本発明に係る紙製パレットは、前述の桁部材を、段ボール等の板紙からなるデッキボード（ｂ）の下面に所要数取り付けてなり、前記各桁部材がデッキボード（ｂ）の幅方向に対し略全長にわたる長さを備えたものを適所で切断した短寸状に形成され、それら短寸状の桁部材を少なくともデッキボードの四隅部に配設して四方差しタイプに形成したことを特徴とする（請求項６）。
この場合、前記桁部材による効果を奏する四方差しタイプの紙製パレットを容易に得ることができる。
【００１８】
また本発明に係る紙製パレットは、前記デッキボードの下面に、金属薄板からなる所要数の補強桟を、所定の間隔をあけて前記桁部材と直交する方向に沿って取り付けてなることを特徴とする（請求項７）。
この場合、前述の効果に加え、補強桟により補強されて耐荷重強度、耐久性により優れた紙製パレットを容易に得ることができる。
【発明の効果】
【００１９】
本発明以上説明したような構成としたので、木製やプラスチック製のパレットと同程度の耐荷重強度、耐久性を備え、且つ低コストで簡単に作製可能な新規な紙製パレット用桁部材と、それを備えた新規な紙製パレットを提供することができた。
【００２０】
また、桁部材を簡単に分解することができるので、使用後の解体作業を容易に行え、廃棄処理やリサイクル性をも考慮した地球環境にやさしい紙製パレットとして提供することができるなど、多くの効果を有する。
【発明を実施するための最良の形態】
【００２１】
以下、本発明の実施形態の例を図面を参照しながら説明する。
図１に示す紙製パレット用桁部材ａは、図２に示す一枚の板紙１００を両側から折り曲げて左右の脚部４０，４０’を組み立てると共に、その組み立て状態を複数の係止部材５０で維持してなる。
【００２２】
板紙１００は、多層段ボールなどの紙材からなり、矩形状の下面板１と、その左右側縁に折線２，２’を介して連設された外面板３，３’と、それら外面板３，３’の外縁に折線４，４’を介して連設された上面板５，５’と、それら上面板５，５’の外縁に折線６，６’を介して連設された内面板７，７’と、それら内面板７，７’の外縁に折線８，８’を介して連設された第一の折畳み板９，９’と、該折畳み板９，９’の外縁に折線１０，１０’を介して連設された第二の折畳み板１１，１１’と、該折畳み板１１，１１’の外縁に折線１２，１２’を介して連設された第三の折畳み板１３，１３’を備えている。
【００２３】
そうして、図３に示すように、前記外面板３，３’を折線２，２’に沿って下面板１の左右側縁に立ち上げ、上面板５，５’を折線４，４’に沿って下面板１と平行になるよう折り曲げ、内面板７，７’を折線６，６’に沿って外面板３，３’と平行になるよう折り曲げると共に、外面板３，３’と内面板７，７’の間に、前記第一〜第三の折畳み板９，９’、１１，１１’、１３，１３’を折線８，８’、１０，１０’、１２，１２’で折り曲げた折り重ね状態で収容することで、下面板１上に角柱状の左右の脚部４０，４０’を備えた桁部材ａが組み立てられる。
【００２４】
前記左右の脚部４０，４０’の間には隙間４２が形成されると共に、各脚部４０，４０’の上面側には左右一対の複数の係合孔４１，４１’が形成されている。
各係合孔４１，４１’は、板紙１００の所定箇所に開穿された開口４１ａ，４１ｂ，４１ｃ、４１ａ’，４１ｂ’，４１ｃ’により形成されている。
【００２５】
前記左右の脚部４０，４０’の組み立て状態を維持する係止部材５０は、多層段ボールなどの紙材により、図１、図４中に示すように、前記一対の係合孔４１，４１’に挿脱自在に差し込まれる左右の差込片５１，５１’と、前記隙間４２に挿脱自在に差し込まれる中央差込片５２を備えた略Ｔ字形に形成されている。
【００２６】
このような構成になる本例の桁部材ａは、板紙１００を両側から折り曲げて左右の脚部４０，４０’を組み立てた後、図１，図４に示すように、それら脚部４０，４０’の上面側の各係合孔４１，４１’部分に、夫々係止部材５０を差し込むことで、各脚部４０，４０’の組み立て状態を維持してなり、各脚部４０，４０’の上面側（上面板５，５’）を、デッキボードの下面に接着剤などで貼り着けて、紙製パレットを構成するものである。
【００２７】
図５に、上記桁部材ａを取り付けてなる紙製パレットＡの一例を示す。
この紙製パレットＡは、デッキボードｂの下面三箇所に、前記桁部材ａを所定間隔毎に並列状に配設した二方差しタイプのパレットであり、桁部材ａと直交する補強桟ｃを備えることでその耐荷重強度、耐久性をさらに向上させている。
【００２８】
デッキボードｂは多層段ボールなどの板紙からなる四角形板で、その下面に、前記桁部材ａが、隣り合せる桁部材ａ同士の間にフォーク挿入用の隙間をあけて並列状に複数貼り付けられている。
【００２９】
それぞれの桁部材ａの上面側（上面板５，５’）には、補強桟ｃが抜き差し自在に差し込まれる差込孔となる凹部６０，６０’が、所定間隔毎に形成されている。各凹部６０，６０’は、板紙１００の所定箇所に開穿された開口６０ａ，６０ｂ，６０ｃ、６０ａ’，６０ｂ’，６０ｃ’により形成されている。
【００３０】
補強桟ｃは、所定の金属材、例えばメッキ鋼板などの金属薄板を、凹凸状の断面になるよう成形したスチール板からなり、前記凹部６０，６０’に抜き差し自在に差し込まれて、各桁部材ａと直交する状態で、デッキボードｂの下面に着脱可能に装着されている。
【００３１】
図６には、本発明に係る紙製パレット用桁部材の他の態様を示す。この例の桁部材ａ’は、図７に示す一枚の板紙１００’を折り曲げて脚部４０”を組み立てると共に、接着剤によりその組み立て状態を維持してなる。
【００３２】
板紙１００’は、多層段ボールなどの紙材からなり、矩形状の下面板１と、その左右側縁に折線２，２’を介して連設された外面板３，３’と、一方の外面板３の外縁に折線４を介して連設された上面板５と、該上面板５の外縁に折線６を介して連設された内面板７と、該内面板７の外縁に折線８を介して連設された第一の折畳み板９と、該折畳み板９の外縁に折線１０を介して連設された第二の折畳み板１１と、該折畳み板１１の外縁に折線１２を介して連設された第三の折畳み板１３と、該折畳み板１３の外縁に折線１４を介して連設された第四の折畳み板１５と、該折畳み板１５の外縁に折線１６を介して連設された第五の折畳み板１７と、該折畳み板１７の外縁に折線１８を介して連設された第六の折畳み板１９と、該折畳み板１９の外縁に折線２０を介して連設された第七の折畳み板２１と、該折畳み板２１の外縁に折線２２を介して連設された第八の折畳み板２３と、該折畳み板２３の外縁に折線２４を介して連設された第九の折畳み板２５と、該折畳み板２５の外縁に折線２６を介して連設された第十の折畳み板２７を備えている。
【００３３】
そうして、図８に示すように、前記外面板３，３’を折線２，２’に沿って下面板１の左右側縁に立ち上げ、上面板５を折線４に沿って下面板１と平行になるよう折り曲げ、内面板７を折線６に沿って外面板３平行になるよう折り曲げると共に、外面板３と内面板７の間に、前記第一〜第十の折畳み板９、１１、１３、１５、１７、１９、２１、２３、２５、２７を折線８、１０、１２、１４、１６、１８、２０、２２、２４、２６で折り曲げた折り重ね状態で収容することで、下面板１上に角柱状の脚部４０”を備えた桁部材ａ’が組み立てられる。
【００３４】
この例の桁部材ａ’は、外面板３０’を内面板７に接着剤で貼り着けることで脚部４０”の組み立て状態を維持してなるもので、脚部４０”の上面側（上面板５）を、デッキボードの下面に接着剤などで貼り着けて、紙製パレットを構成するものである。
この桁部材ａ’により前述の紙製パレットＡを構成する場合は、前記同様、その上面板５に、補強桟ｃが抜き差し自在に差し込まれる差込孔となる凹部６０”が所定間隔毎に形成される。各凹部６０”は、板紙１００’の所定箇所に開穿された開口６０ａ”〜６０ｅ”により形成される。
【００３５】
図９には、前述の桁部材ａを適所で切断した短寸状の桁部材ａ”を備えた紙製パレットＡ’を示し、この紙製パレットＡ’は、デッキボードｂの四隅部とその中間部位に桁部材ａ”を配設して、四方差しタイプに構成されたものである。また、この紙製パレットＡ’は前述の補強桟ｃを備えておらず、よって、各桁部材ａ”は、前述した凹部６０を備えていない。
【００３６】
この例の桁部材ａ”は、図１又は図６に示すような長尺状に組み立てた桁部材ａ，ａ’を所定長さに切断して形成しても良いし、図１０（イ）に示すような予め短尺状とした板紙１００”で組み立てたものを組み立てて得た、（ロ）示す短尺状の中間部材２００を所定箇所で切断して形成しても良い。
それ以外の構成要素は前述の実施形態例と同様なため、図中に上記と同一の符合を付すなどして、重複する図示及び説明は省略する。
【００３７】
以上、本発明の実施形態例を図面を参照して説明したが、本発明に係る紙製パレット用桁部材及び紙製パレットは図示例に限定されず、例えば、前記桁部材ａ，ａ”の係止手段として桁部材ａ’と同様に接着手段を用いたり、桁部材ａ’の係止手段として桁部材ａと同様に係止部材５０を用いたり、また、紙製パレットＡにおいて補強桟ｃのないものとしたり、紙製パレットＡ’において補強桟ｃのあるものとしたり、それに合せて桁部材の適所に凹部を形成する、形成しないなど、その他、特許請求の範囲に記載された技術的思想の範疇において種々の変更が可能であることは言うまでも無い。
【図面の簡単な説明】
【００３８】
【図１】本発明に係る桁部材の実施形態の一例を示す斜視図。
【図２】図１に示す桁部材の展開状態になる板紙の斜視図。
【図３】図１に示す桁部材の組み立て途中状態の斜視図。
【図４】図１の（ｘ）−（ｘ）線に沿う拡大断面図。
【図５】本発明に係る紙製パレットの実施形態の一例を示す斜視図で、（イ）は平面側、（ロ）は底面側を示す。
【図６】本発明に係る桁部材の実施形態の他例を示す斜視図。
【図７】図６に示す桁部材の展開状態になる板紙の斜視図。
【図８】図６に示す桁部材の組み立て途中状態の斜視図。
【図９】本発明に係る紙製パレットの実施形態の他例を示す底面側の斜視図。
【図１０】本発明に係る桁部材の実施形態の他例に係り、（イ）は展開状態になる板紙の斜視図、（ロ）は組み立て後の切断前の斜視図を示す。
【符号の説明】
【００３９】
Ａ，Ａ’：紙製パレット
ａ，ａ’，ａ”：桁部材
１：下面板
３，３’：外面板
５，５’：上面板
７，７’：内面板
９，９’、１１，１１’、１３，１３’、１５、１７、１９、２１、２３、２５、２７：折畳み板
４０，４０’，４０”：脚部
４１，４１’：係合孔
４２：隙間
５０：係止部材
５１，５１’：左右の差込片
５２：中央差込片
１００，１００’，１００”：板紙
ｂ：デッキボード
ｃ：補強桟
【図１】
2006016030.tif 000003
【図２】
2006016030.tif 000004
【図３】
2006016030.tif 000005
【図４】
2006016030.tif 000006
【図５】
2006016030.tif 000007
【図６】
2006016030.tif 000008
【図７】
2006016030.tif 000009
【図８】
2006016030.tif 000010
【図９】
2006016030.tif 000011
【図１０】
2006016030.tif 000012